(57)【要約】【課題】接続時の移動電話機の状態によって利用可能となる機能が制限されない「ハンズフリー通話システム及び移動電話機」を提供する。【解決手段】ハンズフリー通話装置１０の制御部１３は、移動電話機インタフェース１１との移動電話機２０の接続が発生したならば、接続した移動電話機２０にスレーブ標準モード設定要求コマンドを発行する。移動電話機２０の動作制御部２３は、ハンズフリー通話装置１０からスレーブ標準モード設定要求コマンドを受信したならば、現在の各動作モードをメモリ２４に保存し、移動電話機２０の各動作モードを、予め定めておいたハンズフリー通話装置１０からの利用に適した動作モードに設定する。そして、移動電話機２０の動作制御部２３は、移動電話機２０のハンズフリー通話装置１０との接続の切断が発生したならば、移動電話機２０の各動作モードをメモリ２４に格納しておいた動作モードに復帰する。【選択図】図１
2009049678.tif 000002
【特許請求の範囲】
【請求項１】
接続された移動電話機を音声通信に用いたハンズフリー通話機能をユーザに提供するハンズフリー装置と、当該ハンズフリー通話装置に接続される移動電話機とを有するハンズフリー通話システムであって、
前記ハンズフリー通話装置は、
前記移動電話機が接続したときに、当該移動電話機に予め定めた特定のコマンドを送信する送信手段を有し、
前記移動電話機は、
メモリと、
接続した前記ハンズフリー通話装置から前記特定のコマンドを受信したときに、当該移動電話機の現在の動作モードの設定を前記メモリに保管した上で、当該移動電話機の動作モードの設定を予め定めたハンズフリー通話装置接続時用の設定に変更する動作モード変更手段と、
前記ハンズフリー通話装置との接続が切断したときに、当該移動電話機の動作モードの設定を、前記メモリに保管されている設定に復帰する動作モード復帰手段とを有することを特徴とするハンズフリー通話システム。
【請求項２】
移動電話機であって、
メモリと、
当該移動電話機を音声通信に用いたハンズフリー通話機能をユーザに提供するハンズフリー装置に接続した状態において、当該接続した前記ハンズフリー通話装置から前記特定のコマンドを受信したときに、当該移動電話機の現在の動作モードの設定を前記メモリに保管した上で、当該移動電話機の動作モードの設定を予め定めたハンズフリー通話装置接続時用の設定に変更する動作モード変更手段と、
前記ハンズフリー通話装置との接続が切断したときに、当該移動電話機の動作モードの設定を、前記メモリに保管されている設定に復帰する動作モード復帰手段とを有することを特徴とする移動電話機。
【発明の詳細な説明】
【技術分野】
【０００１】
本発明は、移動電話機と当該移動電話機を用いてハンズフリー通話機能を提供するハンズフリー通話装置とより構成されるハンズフリー通話システムに関するものである。
【背景技術】
【０００２】
移動電話機を用いたユーザの通話形態としてハンズフリー通話と呼ばれる形態がある。
ハンズフリー通話とは、電話機を用いた通話を、送話音声の入力と受話音声の出力に電話機外部のマイクとスピーカを用いて行うものである。ここで、受話音声を出力するスピーカと、送話音声をピックアップするマイクを備え、以上のようなハンズフリー通話の機能を移動電話機（「携帯電話」とも呼称される）に付加する装置はハンズフリー通話装置などと呼ばれており、主として、自動車内に設置され、運転中のユーザが、移動電話機を用いたハンズフリー通話を行えるようにするために用いられている（たとえば、特許文献１）。
【特許文献１】特開2000-52886号公報
【発明の開示】
【発明が解決しようとする課題】
【０００３】
接続された移動電話機にハンズフリー通話機能を提供するハンズフリー通話装置においては、接続された移動電話機の状態によって、ユーザが利用可能となるハンズフリー通話装置の機能が制限されてしまうという問題がある。
たとえば、ハンズフリー通話装置に接続された移動電話機に対してユーザのダイヤルキー等の操作を無効化するダイヤルロックモードが設定されていると、移動電話機がハンズフリー通話装置からの操作も無効化してしまうために、ハンズフリー通話装置に移動電話機を接続しても発着信などができなくなってしまうことがある。
【０００４】
そこで、本発明は、接続時の移動電話機の状態によって、利用可能となるハンズフリー通話装置の機能が制限されてしまわないようにすることを課題とする。
【課題を解決するための手段】
【０００５】
前記課題達成のために、本発明は、接続された移動電話機を音声通信に用いたハンズフリー通話機能をユーザに提供するハンズフリー装置と、当該ハンズフリー通話装置に接続される移動電話機とを有するハンズフリー通話システムにおいて、前記ハンズフリー通話装置に、前記移動電話機が接続したときに、当該移動電話機に予め定めた特定のコマンドを送信する送信手段を備え、前記移動電話機に、メモリと、接続した前記ハンズフリー通話装置から前記特定のコマンドを受信したときに、当該移動電話機の現在の動作モードの設定を前記メモリに保管した上で、当該移動電話機の動作モードの設定を予め定めたハンズフリー通話装置接続時用の設定に変更する動作モード変更手段と、前記ハンズフリー通話装置との接続が切断したときに、当該移動電話機の動作モードの設定を、前記メモリに保管されている設定に復帰する動作モード復帰手段とを備えたものである。
【０００６】
このようなハンズフリー通話システムによれば、移動電話機をハンズフリー通話装置に接続したときに、移動電話機の動作モードは、自動的にハンズフリー通話装置接続時用の設定に変更される。よって、ハンズフリー通話装置接続時用の設定を適当に定めておくことにより、接続時の移動電話機の状態によって、利用可能となるハンズフリー通話装置の機能が制限されてしまうことを抑止することができるようになる。また、移動電話機をハンズフリー通話装置から取り外したときに、移動電話機の動作モードは、ハンズフリー通話装置接続前の動作モードに自動的に復帰する。したがって、ハンズフリー通話装置接続時に動作モードを変更したことによって、ハンズフリー通話装置から取り外した後の移動電話機の利用に支障が生じてしまうことも抑止することができる。
【発明の効果】
【０００７】
以上のように、本発明によれば、接続時の移動電話機の状態によって、利用可能となるハンズフリー通話装置の機能が制限されてしまわないようにすることができる。
【発明を実施するための最良の形態】
【０００８】
以下、本発明の実施形態に係るハンズフリー通話システムについて説明する。
図１に、本実施形態に係るハンズフリー通話システムの構成を示す。
図示するように、ハンズフリー通話システムは、ハンズフリー通話装置１０と、ハンズフリー通話装置１０に選択的に接続される移動電話機２０とより構成される。
そして、ハンズフリー通話装置１０は、通話処理装置１、入力装置２、表示装置３、マイクロフォン４、スピーカ５とを備えている。
また、通話処理装置１は、移動電話機インタフェース１１、通話音声処理部１２、制御部１３を有している。
ここで、通話処理装置１の移動電話機インタフェース１１は、有線通信もしくは、Bluetooth（「Bluetooth」は、ブルートゥース  エスアイジー，インコーポレイテッドの登録商標）などの近距離無線通信を介して移動電話機２０と接続し、移動電話機２０との間で各種信号の入出力を行う。ここで、移動電話機２０と移動電話機インタフェース１１との間で入出力する信号としては、移動電話機２０から通話相手に送信する音声を表す送信音声信号や、移動電話機２０が通話相手から受信した音声を表す受信音声信号の他、制御部１３と移動電話機２０との間で移動電話機インタフェース１１を介して送受される各種コマンドや制御データがある。なお、送信音声信号は、通話処理装置１から移動電話機２０に対して出力され、受信音声信号は、移動電話機２０から通話処理装置１に対して出力される。
【０００９】
次に、移動電話機２０は、データ通信や音声通信を行う移動電話機能部２１、上述のように有線通信また近距離無線通信で通話処理装置１に接続するためのホストインタフェース２２、移動電話機能部２１やホストインタフェース２２の制御を行う動作制御部２３、メモリ２４、操作部２５、表示部２６、内蔵マイク２７、内蔵スピーカ２８を備えている。
【００１０】
このような構成において、動作制御部２３は、通話処理装置１に接続していないときには、操作部２５のユーザ操作に応じて、移動電話機単体でデータ通信や音声通信を移動電話機能部２１に行わせる。なお、このように移動電話機単体で行うデータ通信や音声通信で送受信する音声は内蔵マイク２７や内蔵スピーカ２８を用いてユーザとの間で入出力する。
【００１１】
また、動作制御部２３は、通話処理装置１に接続していないときには、操作部２５のユーザ操作に応じて、移動電話機能部２１の各種動作モードの設定を行う。こここで、移動電話機能部２１の動作モードとしては、ユーザのダイヤルキー等の操作を無効化するダイヤルロックモードや、着呼時に呼出音を鳴動させず代わりに振動などにより着呼をユーザに通知するマナーモードなどがある。
【００１２】
さて、このような構成において、ハンズフリー通話装置１０との接続時に、移動電話機２０の動作モードを、ハンズフリー通話に適した動作モードに設定するために、本実施形態では、ハンズフリー通話装置１０の制御部１３は図２に示す移動電話機組込処理を行い、移動電話機２０は図３に示すスレーブ標準モード制御処理を行う。
【００１３】
すなわち、ハンズフリー通話装置１０の制御部１３は、図２に示す移動電話機組込処理において、移動電話機インタフェース１１との移動電話機２０の接続の発生を監視し（ステップ２０２）、移動電話機２０の接続が発生したならば、移動電話機インタフェース１１を介して、接続した移動電話機２０に、移動電話機２０が現在通話中かどうかを問い合わせるコマンドを発行する（ステップ２０４）。そして、問い合わせに対する移動電話機２０よりの応答を待ち（ステップ２０６）、移動電話機２０から通話中でない旨の応答があった場合には（ステップ２０８）、ステップ２１０に進む。一方、移動電話機２０から通話中である旨の応答があった場合には、移動電話機２０から通話終了通知を受信するのを待って、すなわち、移動電話機２０が通話中でなくなるのを待ってから（ステップ２１４）、ステップ２１０に進む。
【００１４】
そして、ステップ２１０では、移動電話機２０に移動電話機インタフェース１１を介して、移動電話機２０にスレーブ標準モード設定要求コマンドを発行し、設定完了通知が移動電話機２０から応答されるのを待って（ステップ２１２）、ステップ２０２からの処理に戻る。
【００１５】
一方、移動電話機２０の動作制御部２３は、図３に示すスレーブ標準モード制御処理において、ホストインタフェース２２を介した、ハンズフリー通話装置１０からのスレーブ標準モード設定要求コマンドの受信の発生を監視し（ステップ３０２）、スレーブ標準モード設定要求コマンドを受信したならば、現在の各動作モードをメモリ２４に保存する（ステップ３０４）。そして、移動電話機２０の各動作モードを、予め定めておいたハンズフリー通話装置１０からの利用に適した動作モードに設定する（ステップ３０６）。ここで、このハンズフリー通話装置１０からの利用に適した動作モードの設定としては、たとえば、ダイヤルロックモードの非設定や、マナーモードの解除などの、ハンズフリー通話装置１０の機能を制限する可能性のある各種動作モードの解除などの設定がある。また、このハンズフリー通話装置１０からの利用に適した動作モードの設定において、ダイヤルロックモードとは別に設けた、操作部２５からのユーザ操作の受付のみを無効とするキーホールドモードを設定することも好ましい。
【００１６】
そして、移動電話機２０の各動作モードを、以上のように予め定めておいたハンズフリー通話装置１０からの利用に適した動作モードに設定したならば、設定完了通知をホストインタフェース２２を介して、ハンズフリー通話装置１０に送信する（ステップ３０８）。
また、次に、移動電話機２０のハンズフリー通話装置１０との接続の切断の発生を監視し（ステップ３１０）、ハンズフリー通話装置１０との接続の切断が発生したならば、移動電話機２０の各動作モードをメモリ２４に格納しておいた動作モード、すなわち、ハンズフリー通話装置１０との接続前の動作モードに復帰し（ステップ３１２）、ステップ３０２からの処理に戻る。
【００１７】
さて、以上のような移動電話機組込処理が完了したならば、移動電話機２０と通話処理装置１とがホストインタフェース２２と移動電話機インタフェース１１によって接続されている期間中、移動電話機２０とハンズフリー通話装置１０は、以下の動作を行う。
すなわち、ハンズフリー通話装置１０の制御部１３は、入力装置２から入力されるユーザ操作や、移動電話機２０の移動電話機能部２１の通信状態に応じて動作制御部２３が制御部１３に通知する着呼通知や通話終了通知などの状態情報に応じて、移動電話機２０にコマンドを発行することにより、移動電話機２０の発呼動作や着呼応答動作などの呼制御動作やその他の各種通信動作の制御を行う。すなわち、この際、移動電話機２０の動作制御部２３は、ハンズフリー通話装置１０の制御部１３から発行されたコマンドに従って、移動電話機能部２１に呼制御動作やその他の各種通信動作を実行させる。
【００１８】
そして、このような呼制御動作によって確立された呼による他の電話機との音声通話中、移動電話機能部２１は、ホストインタフェース２２を介して、通話相手の電話機から受信した音声信号を、受信音声信号として移動電話機インタフェース１１に出力する。そして、移動電話機インタフェース１１は、受信した受信音声信号を、通話音声処理部１２に送る。また、通話音声処理部１２は、入力した受信音声信号に対して、音量調整やラウドネス補償処理を施し、スピーカ５から出力する。また、通話音声処理部１２は、マイクロフォン４から入力した音声信号を、スピーカ５からマイクロフォン４への回り込んだ音声成分を除去するエコーキャンセル処理などを施した後、移動電話機インタフェース１１を介して送信音声信号として移動電話機２０に送る。そして、移動電話機能部２１は、ホストインタフェース２２を介して送信音声信号を受け取り、通話相手の電話機に送信する。
【００１９】
以上、本発明の実施形態について説明した。
以上のように、本実施形態によれば、移動電話機２０をハンズフリー通話装置１０に接続したときに、移動電話機２０の動作モードは、自動的に予め定めておいたハンズフリー通話装置１０からの利用に適した動作モードに変更される。よって、接続時の移動電話機２０の状態によって、利用可能となるハンズフリー通話装置１０の機能が制限されてしまうことを抑止することができるようになる。また、移動電話機２０をハンズフリー通話装置１０から取り外したときに、移動電話機２０の動作モードは、ハンズフリー通話装置接続前の動作モードに自動的に復帰する。したがって、ハンズフリー通話装置接続時に動作モードを変更したことによって、ハンズフリー通話装置１０から取り外した後の移動電話機２０の利用に支障が生じてしまうことも抑止することができる。
【図面の簡単な説明】
【００２０】
【図１】本発明の実施形態に係るハンズフリー通話システムの構成を示す図である。
【図２】本発明の実施形態に係るハンズフリー通話装置が行う移動電話機組込処理を示すフローチャートである。
【図３】本発明の実施形態に係る移動電話機が行うスレーブ標準モード制御処理を示すフローチャートである。
【符号の説明】
【００２１】
１…通話処理装置、２…入力装置、３…表示装置、４…マイクロフォン、５…スピーカ、１０…ハンズフリー通話装置、１１…移動電話機インタフェース、１２…通話音声処理部、１３…制御部、２０…移動電話機、２１…移動電話機能部、２２…ホストインタフェース、２３…動作制御部、２４…メモリ、２５…操作部、２６…表示部、２７…内蔵マイク、２８…内蔵スピーカ。
【図１】
2009049678.tif 000003
【図２】
2009049678.tif 000004
【図３】
2009049678.tif 000005